(57)【要約】      （修正有）【課題】掛け布団がベットからずり落ちることがなく、安眠できる掛け布団を提供する。【解決手段】方形の上布地２と方形の下布地とを縁部で結着した袋状体の左右の第１第２側方部４ａ、４ｂと下方の第３側方部４ｃの内方の本体部４ｄと第１第２側方部４ｂ、４ｃとの境界線及び本体部４ｄと第３側方部４ｃとの境界線において上布地２と下布地とを結着し、羽毛が充填された第１第２第３側方部４ａ、４ｂ、４ｃの厚さを羽毛が充填された本体部４ｄの厚さよりも小として該本体部４ｄを厚く側方部４ａ、４ｂ、４ｃを薄く形成し、第１第２側方部４ａ、４ｂの延長部と第３側方部４ｃの延長部とが交わるコーナー部４ｅと第１第２第３側方部４ａ、４ｂ、４ｃとの境界線において上布地２と前記下布地とを結着し、コーナー部４ｅ内には羽毛が充填されていない。【選択図】図１
0003168245.tif 000002
【実用新案登録請求の範囲】
【請求項１】
方形の上布地と方形の下布地とを縁部で結着した袋状体の左右の第１第２側方部と下方の第３側方部の内方の本体部とこれら第１第２側方部との境界線及び前記本体部と前記第３側方部との境界線において前記上布地と下布地とを結着し、羽毛が充填された前記第１第２第３側方部の厚さを羽毛が充填された前記本体部の厚さよりも小として該本体部を厚く前記側方部を薄く形成し、前記第１第２側方部の延長部と前記第３側方部の延長部とが交わるコーナー部と前記第１第２第３側方部との境界線において前記上布地と前記下布地とを結着し、前記コーナー部内に羽毛が充填されてない掛け布団。
【請求項２】
前記本体部において前記上布地と前記下布地とを結着して碁盤目状の区画室に形成すると共に、前記側方部において前記上布地と前記下布地とを結着して前記区画室より小面積の複数の小区画室に形成し、これら各区画室及び各小区画室にそれぞれ所定量の羽毛を充填した請求項１に記載の掛け布団。
【考案の詳細な説明】
【技術分野】
【０００１】
本考案は、ベットに使用するのに好適な掛け布団に関する。
【背景技術】
【０００２】
従来の掛け布団、羽毛の掛け布団として、上布地と下布地との間に、帯状布地からなる複数の柱材を、その各両端部がそれぞれ該上布地と該下布地とに接合されているいる状態にて、点在させて配置して設けると共に、当該下布地の縁周囲を所要の幅当該上布地に折り返して上布地に折り返して上布地の縁と下布地の縁とを合わせて封着して上面周囲に額状の吹き部を形成し、内部に羽毛を充填した羽毛布団が知られている（特許文献１参照。）。
【先行技術文献】
【特許文献】
【０００３】
【特許文献１】特開平９−２５２８８４号公報
【考案の概要】
【考案が解決しようとする課題】
【０００４】
この従来の布団によれば、該布団の内部において、点在させて配置した帯状布地の柱材を、その端部で上布地と下布地とに接合して形成されているので、ベットの掛け布団として使用した場合に、ベットから垂れ下がる側方部において、羽毛が移動して集まって睡眠中に掛け布団がベットよりずり落ちる問題点があった。
【０００５】
本考案はこのような問題点を解消し、掛け布団がベットからずり落ちることがなくなり、安眠できる掛け布団を提供することを目的とする。
【課題を解決するための手段】
【０００６】
本考案は、この目的を達成すべく、方形の上布地と方形の下布地とを縁部で結着した袋状体の左右の第１第２側方部と下方の第３側方部の内方の本体部とこれら第１第２側方部との境界線及び前記本体部と前記第３側方部との境界線において前記上布地と下布地とを結着し、羽毛が充填された前記第１第２第３側方部の厚さを羽毛が充填された前記本体部の厚さよりも小として該本体部を厚く前記側方部を薄く形成し、前記第１第２側方部の延長部と前記第３側方部の延長部とが交わるコーナー部と前記第１第２第３側方部との境界線において前記上布地と前記下布地とを結着し、前記コーナー部内に羽毛が充填されてない。
【考案の効果】
【０００７】
本考案の掛け布団によれば、掛け布団がベットからずり落ちることがなくなり、安眠できる効果を有する。
【図面の簡単な説明】
【０００８】
【図１】本考案の実施例１の掛け布団の平面図である。
【図２】該掛け布団をベットに掛けた状態の正面図である。
【図３】図２のＸ−Ｘ線截断面図である。
【図４】該掛け布団のコーナー部をベットのコーナー部に差し込んだ状態を示す拡大斜視図である。
【考案を実施するための形態】
【０００９】
本考案を実施するための形態の実施例を以下に示す。
【実施例１】
【００１０】
本考案の実施例１を図面により説明する。
【００１１】
図１は本実施例１の掛け布団の平面図、図２は該掛け布団をベットに掛けた状態の正面図、図３は図２のＸ−Ｘ線截断面図、図４は該掛け布団のコーナー部をベットのコーナー部に差し込んだ状態を示す拡大斜視図である。
【００１２】
１は掛け布団を示し、該掛け布団１は、方形の上布地２と同様に方形の下布地３とを周縁において結着、即ち、縫着或いは接着して袋状体４に形成され、該袋状体４は、その左右の第１第２側方部４ａ、４ｂと、下方の第３側方部４ｃと、これら第１第２側方部４ａ、４ｂと第３側方部４ｃとに囲まれた本体部４ｄとからなる。
【００１３】
そして、これら第１、第２側方部４ａ、４ｂと前記本体部４ｄとの境界線の個所において、前記上布地２と前記下布地３との内面間を結着、即ち、縫着或いは接着すると共に、前記第３側方部４ｃと前記本体部４ｄとの境界線の個所において、前記上布地２と前記下布地３との内面間を結着、即ち、縫着或るいは接着し、更に、前記本体部４ｄ内においても、前記上布地２と前記下布地３の内面間を結着、即ち、縫着或いは接着して碁盤目状の区画室５を形成すると共に、前記第１側方部４ａと前記第２側方部４ｂにおいて、前記区画室５よりも小面積、例えば、半分の面積の小区画室６を多数形成し、これら各区画室５及び各小区画室６に羽毛Ａを充填し、前記第１、第２、第３側方部４ａ，４ｂ，４ｃの小区画室６の厚さが前記本体部４ｄの区画室５の厚さよりも小とし、前記本体部４ｄは厚く、又前記第１、第２、第３側方部４ａ、４ｂ、４ｃは薄く形成されている。
【００１４】
又、前記第１、第２側方部４ａ，４ｂの延長部と前記第３側方部４ｃの延長部との交わるコーナー部４ｅは、これら第１、第２、第３側方部４ａ、４ｃ，４ｄとの境界線において前記上布地２と前記下布地３の内面間を結着、即ち、縫着或いは接着し、これら結着された箇所の内方のコーナー部４ｅには羽毛Ａが充填されていない。
【００１５】
次に本実施例の掛け布団１の使用方法及びその効果について説明する。
【００１６】
予め、前記掛け布団１をベットＢのマットレス或いは敷布団Ｃの上に掛ける。
【００１７】
この時、該掛け布団１の本体部４ｄが前記マットレス或いは敷布団Ｃの真上に位置するようにすると共に、該掛け布団１の第１、第２側方部４ａ、４ｂがベットＢの側方に又第３側方部４ｃが該ベットＢの後方にそれぞれ垂れ下がるようにし、更に、該掛け布団１のコーナー部４ｅを図４に示す如く折って前記マットレス或いは敷布団のコーナー部Ｃの下に差し込む。
【００１８】
かくて、前記第１、第２側方部４ａ，４ｂは前記本体部４ｄよりも薄く形成されているので、前記マットレス或いは敷布団Ｃ及びベットＢの側方に容易に垂れ下がり、又、前記第３側方部４ｄも前記本体部４ｄよりも薄く形成されているので、前記マットレス或いは敷布団Ｃ及びベットＢの後方に容易に垂れ下がり、しかも、前記コーナー部４ｅが前記マットレス或いは敷布団Ｃのコーナー部の下に差し込まれて係止されているので、就寝中において、前記掛け布団１は前記ベットＢの側方にずれて該ベットからずり落ちることがなく、安眠が確保される。
【００１９】
尚、図２において、Ｄは枕を示す。
【産業上の利用可能性】
【００２０】
本考案の掛け布団は、ホテル、旅館、ペンション、一般住宅等で利用される。
【符号の説明】
【００２１】
１            掛け布団
２            上布地
３            下布地
４            袋状体
４ａ          第１側方部
４ｂ          第２側方部
４ｃ          第３側方部
４ｄ          本体部
４ｅ          コーナー部
５            区画室
６            小区画室
Ａ            羽毛
【図１】
0003168245.tif 000003
【図２】
0003168245.tif 000004
【図３】
0003168245.tif 000005
【図４】
0003168245.tif 000006